(57)【特許請求の範囲】
【請求項１】
ロック画面にオブジェクトが表示されるタッチスクリーンディスプレイと、
前記オブジェクトの向きを、該オブジェクトに対する操作に従って当該オブジェクトを回転させて変更させるコントローラと
を備え、
前記コントローラは、前記オブジェクトの向きが所定の条件を満足する場合には、前記ロック画面を該ロック画面以外の他の画面に遷移可能であって、
前記コントローラは、前記所定の条件を満足させる際に、前記オブジェクトが回転する方向が異なると、異なる他の画面に遷移させる装置。
【請求項２】
前記コントローラは、前記オブジェクトにおける前記操作の位置と、当該操作の終了時のオブジェクトの向きが所定の条件を満足する場合には、前記ロック画面を前記他の画面に遷移させる請求項１に記載の装置。
【請求項３】
前記コントローラは、前記オブジェクトの向きを、当該オブジェクトの表示位置を維持しつつ変更させる請求項１または２に記載の装置。
【請求項４】
前記コントローラは、前記他の画面に遷移させる前に、前記ロック画面に当該遷移させる画面に関するオブジェクトを表示させる請求項１から３のいずれか１項に記載の装置。
【請求項５】
タッチスクリーンディスプレイを備える装置を制御する方法であって、
オブジェクトが配置されたロック画面をタッチスクリーンディスプレイに表示させるステップと、
前記オブジェクトの向きを、該オブジェクトに対する操作に従って当該オブジェクトを回転させて変更させるステップと、
前記オブジェクトの向きが所定の条件を満足する場合には、前記ロック画面を該ロック画面以外の他の画面に遷移させるステップと、
前記所定の条件を満足させる際に、前記オブジェクトが回転する方向が異なると、異なる他の画面に遷移させるステップと
を含む方法。
【請求項６】
タッチスクリーンディスプレイを備える装置に、
オブジェクトが配置されたロック画面をタッチスクリーンディスプレイに表示させるステップと、
前記オブジェクトの向きを、該オブジェクトに対する操作に従って当該オブジェクトを回転させて変更させるステップと、
前記オブジェクトの向きが所定の条件を満足する場合には、前記ロック画面を該ロック画面以外の他の画面に遷移させるステップと、
前記所定の条件を満足させる際に、前記オブジェクトが回転する方向が異なると、異なる他の画面に遷移させるステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者の誤操作の防止およびセキュリティの観点から、ロック画面と呼ばれる画面をディスプレイに表示する。タッチスクリーンデバイスは、ロック画面が表示されているロック状態では、ロック解除操作が受け付けられるまで、特定の操作を除いて操作を受け付けない。
【０００６】
ところで、タッチスクリーンデバイスは、ロック画面上でロック解除操作を検出すると、ロック画面を所定の画面に遷移させて、利用者による操作が可能な状態に復帰する。しかしながら、ロック解除操作は、簡易な操作であるので、何人も実行することができる。この結果、ロック画面のセキュリティ性は必ずしも高くないという問題がある。
【０００７】
このような理由により、ロック画面のセキュリティ性を向上させることができる装置、方法、及びプログラムの必要性がある。
【課題を解決するための手段】
【０００８】
１つの態様に係る装置は、ロック画面にオブジェクトが表示されるタッチスクリーンディスプレイと、前記オブジェクトの向きを、該オブジェクトに対する操作に従って当該オブジェクトを回転させて変更させるコントローラとを備え、前記コントローラは、前記オブジェクトの向きが所定の条件を満足する場合には、前記ロック画面を該ロック画面以外の他の画面に遷移可能であって、前記コントローラは、前記所定の条件を満足させる際に、前記オブジェクトが回転する方向が異なると、異なる他の画面に遷移させる。
【０００９】
１つの態様に係る方法は、タッチスクリーンディスプレイを備える装置を制御する方法であって、オブジェクトが配置されたロック画面をタッチスクリーンディスプレイに表示させるステップと、前記オブジェクトの向きを、該オブジェクトに対する操作に従って当該オブジェクトを回転させて変更させるステップと、前記オブジェクトの向きが所定の条件を満足する場合には、前記ロック画面を該ロック画面以外の他の画面に遷移させるステップと、前記所定の条件を満足させる際に、前記オブジェクトが回転する方向が異なると、異なる他の画面に遷移させるステップとを含む。
【００１０】
１つの態様に係るプログラムは、タッチスクリーンディスプレイを備える装置に、オブジェクトが配置されたロック画面をタッチスクリーンディスプレイに表示させるステップと、前記オブジェクトの向きを、該オブジェクトに対する操作に従って当該オブジェクトを回転させて変更させるステップと、前記オブジェクトの向きが所定の条件を満足する場合には、前記ロック画面を該ロック画面以外の他の画面に遷移させるステップと、前記所定の条件を満足させる際に、前記オブジェクトが回転する方向が異なると、異なる他の画面に遷移させるステップとを実行させる。
【図面の簡単な説明】
【００１１】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、実施形態に係るスマートフォンの機能を示すブロック図である。
【図６】図６は、ロック画面の一例を示す図である。
【図７】図７は、ロック画面上に表示された時計のオブジェクトに対する利用者の操作に応じた制御の一例を示す図である。
【図８】図８は、ロック画面上に表示された時計のオブジェクトに対する利用者の操作に応じた制御の他の例を示す図である。
【図９】図９は、ロック状態を解除して通常のホーム画面を表示するための処理手順を示す図である。
【図１０】図１０は、図９に示す処理手順において利用するロック解除条件の設定画面の一例を示す図である。
【図１１】図１１は、ロック状態を解除してシークレット用のホーム画面を表示するための処理手順を示す図である。
【図１２】図１２は、図１１に示す処理手順において利用する解除条件の設定画面の一例を示す図である。
【図１３】図１３は、ロック解除エリアを有するロック画面の一例を示す図である。
【図１４】図１４は、段階的なロック解除の操作の一例を示す図である。
【発明を実施するための形態】
【００１２】
図面を参照しつつ実施形態を詳細に説明する。以下では、タッチスクリーンを備える装置の一例として、スマートフォンについて説明する。
【００１３】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１４】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１５】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１８】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１９】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００２０】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２１】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２２】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２３】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２４】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２５】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２６】
図４を参照しながら、ディスプレイ２Ａに表示される画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。ディスプレイ２Ａには、図４に示すホーム画面４０のほかに、ロック画面が表示される。ロック画面は、利用者の誤操作の防止およびセキュリティの観点から、所定のロック解除操作以外の操作を受け付けない。例えば、ホーム画面４０が表示されているときに何の操作も検出されることなく所定の時間が経過した場合に、スマートフォン１は、ディスプレイ２Ａにロック画面を表示させることもある。
【００２７】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２８】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２９】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００３０】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３１】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３２】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３３】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３４】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３５】
図５は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３６】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００３７】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００３８】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００３９】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、一つのセンサとして構成されていてもよい。
【００４０】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４１】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４２】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４３】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４４】
ストレージ９は、例えば、制御プログラム９Ａ、メールアプリケーション９Ｂ、ブラウザアプリケーション９Ｃ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報およびロック状態を解除するロック解除条件を含む。ストレージ９は、ロック状態を解除するためのロック解除条件の情報を記憶する。ロック解除条件については、後述する。
【００４５】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ディスプレイ２Ａに表示されているロック画面上の表示位置を維持しつつ、オブジェクトの向きを、オブジェクトに対する操作に従って変更させる制御機能が含まれる。制御プログラム９Ａが提供する機能は、メールアプリケーション９Ｂ等の他のプログラムが提供する機能と組み合わせて利用されることがある。
【００４６】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００４７】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００４８】
コントローラ１０は、例えば、制御プログラム９Ａを実行することにより、ロック画面上のオブジェクトの表示位置を維持しつつ、オブジェクトに対する操作をタッチスクリーン２Ｂを介して検出し、検出結果に従ってオブジェクトを回転させる。コントローラ１０は、ロック画面上のオブジェクトに対する操作に応じてロック状態を解除し、図４に示すホーム画面４０などをディスプレイ２Ａに表示させる。
【００４９】
カメラ１２は、フロントフェイス１Ａに面している物体を撮影するインカメラである。カメラ１３は、バックフェイス１Ｂに面している物体を撮影するアウトカメラである。
【００５０】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５１】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５２】
図５においてストレージ９が記憶するプログラムの一部又は全部は、通信ユニット６による無線通信で他の装置からダウンロードされてもよい。図５においてストレージ９が記憶するプログラムの一部又は全部は、ストレージ９に含まれる読み取り装置が読み取り可能な非一過的な記憶媒体に記憶されていてもよい。図５においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５３】
図５に示したスマートフォン１の構成は一例であり、本出願の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも一つを検出するための他の種類のセンサを備えてもよい。
【００５４】
図６、図７及び図８を参照しながら、制御プログラム９Ａが提供する機能に基づく制御の例について説明する。制御プログラム９Ａが提供する機能には、ロック画面６０上のオブジェクトに対する操作を検出し、検出結果に従ってオブジェクトを回転させる機能、およびオブジェクトに対する操作に応じてロック状態を解除する機能が含まれる。オブジェクトを回転させることには、オブジェクトの表示位置を変えることなく移動させること、およびオブジェクトの表示位置を変えることなく向きを変えることが含まれる。具体的には、スマートフォン１は、制御プログラム９Ａが提供する機能に基づいて、ロック画面６０上に表示されたオブジェクトに対する利用者の操作に従って、オブジェクトの表示位置を維持しつつ回転させる。オブジェクトの表示位置を維持することには、オブジェクトの移動またはオブジェクトの回転に関わらず、ロック画面６０においてオブジェクトが占める位置が略同一である状態が含まれる。スマートフォン１は、オブジェクトに対する操作内容に応じて、ロック状態を解除し、図４に示すホーム画面４０などを表示させる。
【００５５】
図６は、ロック画面の一例を示している。図６に示すロック画面６０は、例えば、ロック状態で、ブラックアウト状態から復帰したときにディスプレイに最初に表示される画面である。図６に示すように、ロック画面６０には、曜日と日付が記された壁紙６１と、ベゼル６２および時計部分６３を含む時計のオブジェクト６４とが表示される。ベゼル６２は、利用者の操作により移動可能なオブジェクトである。時計部分６３は、移動しない固定のオブジェクトであるが、中心６５で組み合された長針と短針により時刻を刻む。以下、図６に示すロック画面６０を、初期状態のロック画面６０と表記する。
【００５６】
図７は、ロック画面上に表示された時計のオブジェクトに対する利用者の操作に応じた制御の一例を示す図である。図７では、時計のオブジェクト６４に含まれるベゼル６２へのタッチ、時計回りのスワイプおよびベゼル６２からのリリースを含む一連のタッチジェスチャがタッチスクリーン２Ｂによって時系列に検出された場合に、スマートフォン１により実行される制御の例を示している。
【００５７】
ステップＳ１１に示すように、利用者の指によりタッチが行われると、スマートフォン１は、タッチスクリーン２Ｂの検出結果を取得して、ベゼル６２へのタッチが検出された位置を特定する。例えば、利用者の指によりベゼル６２の数字「２０」が表記されている位置がタッチされた場合には、スマートフォン１は、ベゼル６２において数字「２０」が表記されている位置を、タッチが検出された位置として特定する。
【００５８】
続いて、ステップＳ１２に示すように、利用者の指によりベゼル６２のスワイプが行われると、スマートフォン１は、タッチスクリーン２Ｂの検出結果を取得して、取得した検出結果に従って、指の動きに追随するようにベゼル６２を回転させる。例えば、ステップＳ１２に示すように、利用者の指によりベゼル６２上を時計回りにスワイプされた場合には、スマートフォン１は、ロック画面６０においてベゼル６２が表示されている位置を維持したままで、時計回りにベゼル６２を回転させる。スマートフォン１は、利用者の指によるベゼル６２からのリリースが検出されるまで、タッチスクリーン２Ｂの検出結果を取得し、取得した検出結果に従ってベゼル６２を回転させる処理を続ける。
【００５９】
続いて、ステップＳ１３に示すように、利用者の指のリリースが検出されると、スマートフォン１は、タッチスクリーン２Ｂの検出結果を取得し、ベゼル６２からのリリースが検出された位置を特定する。例えば、スマートフォン１は、ステップＳ１３においてベゼル６２の数字「２０」が表記されている位置を、リリースがあった位置として特定する。スワイプによりベゼル６２が回転した後のベゼル６２の数字「２０」が表記されている位置は、ベゼル６２が回転する前のロック画面６０において、ベゼル６２の数字「４０」が表記されている位置に対応する。
【００６０】
続いて、スマートフォン１は、ベゼル６２へのタッチが検出された位置およびベゼル６２の向きが、ストレージ９に記憶されたロック解除条件を満足するか否かを判定し、ロック解除条件を満足する場合には、ロック状態を解除する。スマートフォン１は、ベゼル６２に表記された数字の中の１つの数字と、ベゼル６２の向きと組合せをロック解除条件として記憶する。ロック解除条件は、例えば、ベゼル６２に表記された数字の１つと、ベゼル６２の向きとを含む。ロック解除条件の１つである数字は、ベゼル６２に表記された数字のうち、ベゼル６２へのタッチが検出された位置に対応する数字を照合するためのものである。ロック解除条件のもう１つであるベゼル６２の向きは、利用者の操作に応じて回転したベゼル６２の向きを照合するためのものである。ここで、ロック解除条件の一例を説明する。スマートフォン１は、ロック解除条件の１つである数字に、ベゼル６２に表記された数字「２０」を設定する。さらに、スマートフォン１は、図６に示す初期状態のロック画面６０のベゼル６２の向きを基準として、時計回りに１２０度回転したときのベゼル６２の向きを設定する。スマートフォン１は、ベゼル６２の数字とベゼル６２の向きとの組合せを、ロック解除条件としてストレージ９に記憶する。スマートフォン１は、ベゼル６２へのタッチおよびリリースが検出された位置を用いて、回転後のベゼル６２の向きを特定する。例えば、スマートフォン１は、ベゼルの回転方向、ベゼル６２へのタッチおよびリリースが検出された位置、および中心６５の３点のなす角度を算出し、タッチが検出された位置と、算出した角度とに基づいて、ベゼル６２の向きを特定する。そして、図７のステップＳ１１〜ステップＳ１３に示す例のように、ベゼル６２へのタッチが検出された位置およびベゼル６２の向きが、ストレージ９に記憶されたロック解除条件を満足する場合には、スマートフォン１はロック状態を解除する。
【００６１】
続いて、スマートフォン１は、ロック状態を解除した後、ステップＳ１４に示すように、ディスプレイ２Ａにホーム画面４０を表示する。
【００６２】
このように、利用者は、ロック状態を解除する為に、ベゼル６２に対するタッチ位置およびベゼル６２の向きを合わせる操作が必要となるので、ロック状態を容易に解除することはできず、ロック画面のセキュリティ性を向上できる。
【００６３】
スマートフォン１は、ベゼル６２に表記された数字の中の１つの数字と、ベゼル６２の向きと組合せをロック解除条件として記憶する例を説明したが、これには限定されない。スマートフォン１は、初期状態のロック画面６０においてベゼル６２の表記された数字の中から、利用者に選択させた２つの数字をロック解除条件としてストレージ９に記憶してもよい。図７に示す例では、スマートフォン１は、ベゼル６２の数字「２０」と「４０」をロック解除条件として記憶する。この場合、スマートフォン１は、ベゼル６２の数字「２０」が表記された位置が、初期状態のロック画面６０においてベゼル６２の数字「４０」が表記された位置まで回転したときのベゼル６２の向きをロック解除条件として用いる。
【００６４】
スマートフォン１は、リリースの検出後、利用者によるボタン３の操作またはタッチジェスチャに応じて、ベゼル６２の位置を初期状態のロック画面６０の位置に戻してもよい。
【００６５】
図７に示す場合では、スマートフォン１は、ベゼル６２へのタッチが検出された位置およびベゼル６２の向きに基づいて、ロック状態を解除するか否かを判定したが、これには限定されない。例えば、スマートフォン１は、ベゼル６２の向きのみに基づいて、ロック状態を解除するか否かを判定してもよい。例えば、ロック画面６０上を回転する三角形のオブジェクトを用いた場合、時計のオブジェクト６４のベゼル６２のように、ロック画面６０においてオブジェクトが占める位置が略同一とはならない。ベゼル６２の向きのみに基づいてロック状態を解除するか否かを判定することで、スマートフォン１は、オブジェクトの占める位置が略同一ではなくても、ベゼル６２を用いた例と同様の制御で、ロック解除の判定を行うことができる。
【００６６】
図８は、ロック画面上に表示された時計のオブジェクトに対する利用者の操作に応じた制御の他の例を示す図である。図８では、時計のオブジェクト６４に含まれるベゼル６２へのタッチ、反時計回りのスワイプおよびベゼル６２からのリリースを含む一連のタッチジェスチャがタッチスクリーン２Ｂによって時系列に検出された場合に、スマートフォン１により実行される制御の例を示している。
【００６７】
ステップＳ２１に示すように、利用者の指によりタッチが行われると、スマートフォン１は、タッチスクリーン２Ｂの検出結果を取得して、タッチが検出された位置を特定する。例えば、利用者の指によりベゼル６２の数字「５５」が表記されている位置がタッチされた場合には、スマートフォン１は、ベゼル６２において数字「５５」が表記されている位置を、タッチが検出された位置として特定する。
【００６８】
続いて、ステップＳ２２に示すように、利用者の指によりスワイプが行われると、スマートフォン１は、タッチスクリーン２Ｂの検出結果を取得して、取得した検出結果に従って、指の動きに追随させるようにベゼル６２を回転させる。例えば、ステップＳ２２に示すように、利用者の指によりベゼル６２上を反時計回りにスワイプされた場合には、スマートフォン１は、ロック画面６０においてベゼル６２が表示されている位置を維持したままで、反時計回りにベゼル６２を回転させる。スマートフォン１は、利用者の指によるベゼル６２からのリリースが検出されるまで、タッチスクリーン２Ｂの検出結果を取得し、取得した検出結果に従ってベゼル６２を回転させる処理を続ける。
【００６９】
続いて、ステップＳ２３に示すように、利用者の指のリリースが検出されると、スマートフォン１は、タッチスクリーン２Ｂの検出結果を取得し、リリースが検出された位置を特定する。例えば、スマートフォン１は、ステップＳ２３においてベゼル６２の数字「５５」が表記されている位置を、リリースがあった位置として特定する。なお、スワイプによりベゼル６２が回転した後のベゼル６２の数字「５５」が表記されている位置は、初期状態のロック画面６０において、ベゼル６２の数字「３５」が表記されている位置に対応する。
【００７０】
続いて、スマートフォン１は、ベゼル６２へのタッチが検出された位置およびベゼル６２の向きが、ストレージ９に記憶されたロック解除条件を満足するか否かを判定し、ロック解除条件を満足する場合には、ロック状態を解除する。ここで、ロック解除条件の一例を説明する。スマートフォン１は、ロック解除条件の１つである数字に、ベゼル６２に表記された数字「５５」を設定する。さらに、スマートフォン１は、図６に示す初期状態のロック画面６０のベゼル６２の向きを基準として、反時計回りに１２０度回転したときのベゼル６２の向きを設定する。スマートフォン１は、ベゼル６２の数字とベゼル６２の向きとの組合せを、ロック解除条件としてストレージ９に記憶する。スマートフォン１は、ベゼル６２へのタッチが検出された位置およびベゼル６２からのリリースが検出された位置に基づいて、回転後のベゼル６２の向きを特定する。例えば、スマートフォン１は、ベゼルの回転方向、ベゼル６２へのタッチおよびリリースが検出された位置、および中心６５の３点のなす角度を算出し、タッチが検出された位置と、算出した角度とに基づいて、ベゼル６２の向きを特定する。そして、図８のステップＳ２１〜ステップＳ２３に示す例のように、ベゼル６２へのタッチが検出された位置およびベゼル６２の向きが、ストレージ９に記憶されたロック解除条件を満足する場合には、スマートフォン１はロック状態を解除する。
【００７１】
続いて、スマートフォン１は、ロック状態を解除した後、ステップＳ２４に示すように、ディスプレイ２Ａにシークレット用のホーム画面を表示させる。ステップＳ２４で表示されるシークレット用のホーム画面には、図７のステップＳ１４で表示される通常のホーム画面では表示されないアイコン（例えば、Ｓｅｃｒｅｔ１，２）が表示される。
【００７２】
このように、利用者は、ロック状態を解除する為に、ベゼル６２に対するタッチ位置およびベゼル６２の向きを合わせる操作が必要となるので、ロック状態を容易に解除することはできず、ロック画面のセキュリティ性を向上できる。さらに、図７及び図８に示すように、ベゼルの回転方向に応じて、ロック状態の解除後にディスプレイ２Ａに表示させるホーム画面を変えることができる。これにより、ユーザフレンドリーなロック画面を実現できる。
【００７３】
図８に示すシークレット用のホーム画面は一例であり、例えば、所定のホームランチャーを用いて、図８に示すシークレット用のホーム画面とはアイコン５０の配列などのデザインの異なる画面をシークレット用のホーム画面として表示させることもできる。
【００７４】
図７及び図８では、スワイプによりベゼル６２を回転させることによりロック状態を解除する制御について説明したが、スワイプとは異なる操作によりベゼル６２を回転させるように制御してもよい。例えば、スマートフォン１は、ロック画面６０上でベゼル６２の数字が２箇所シングルタップされた場合には、初めにタップされた数字の位置が後からタップされた数字の位置に表示されるように、ベゼル６２を時計回りに回転させるように制御する。あるいは、スマートフォン１は、ロック画面６０上でベゼル６２の数字が２箇所ダブルタップされた場合には、初めにタップされた数字の位置が後からタップされた数字の位置に表示されるように、ベゼル６２を反時計回りに回転させるように制御する。
【００７５】
図７及び図８において、利用者によるタッチおよびリリースがあった位置のそれぞれに対応するロック画面６０の座標値を、タッチスクリーン２Ｂの検出結果として取得してもよい。この場合、スマートフォン１は、座標値とベゼルの向きとの組合せをロック解除条件としてストレージ９に予め記憶しておく。
【００７６】
図７及び図８では、利用者のスワイプに追随して回転するベゼル６２を有する時計のオブジェクト６４を用いて、ベゼル６２へのタッチ位置が検出された位置とベゼル６２の向きとに基づき、ロック解除の判定を行う場合を説明したが、これには限定されない。例えば、スマートフォン１は、ベゼル６２が利用者のスワイプに追随して回転しないオブジェクトとしてもよい。この場合、スマートフォン１は、ベゼル６２に表記された２つの数字の組合せを、ロック解除条件としてストレージ９に予め記憶する。そして、スマートフォン１は、ベゼル６２へのタッチ、スワイプおよびリリースを含む一連のタッチジェスチャが検出されると、ベゼル６２へのタッチおよびリリースが検出された位置に対応する数字を特定する。スマートフォン１は、特定した２つの数字の組合せが、ロック解除条件として記憶された数字の組合せに一致する場合には、ロック状態を解除する。スマートフォン１は、スワイプの方向が時計回りであるか、または反時計回りかを考慮してもよい。
【００７７】
ベゼル６２が利用者のスワイプに追随して回転しないオブジェクトである場合に、スマートフォン１は、ベゼル６２に表記された２つの数字の位置と、時計のオブジェクト６４の中心６５との３点の為す角度を、ロック解除条件としてストレージ９に予め記憶してもよい。このとき、スマートフォン１は、ベゼル６２へのタッチ、スワイプおよびリリースを含む一連のタッチジェスチャが検出されると、ベゼル６２へのタッチおよびリリースが検出された位置に対応する数字を特定し、この２つの数字の位置と中心６５との為す角度を算出する。そして、スマートフォン１は、算出した角度が、ロック解除条件として記憶された角度に一致する場合には、ロック状態を解除する。
【００７８】
ベゼル６２が利用者のスワイプに追随して回転しないオブジェクトである場合に、スマートフォン１は、スワイプの方向を加味して、ロック解除後にディスプレイ２Ａに表示させるホーム画面を変えてもよい。例えば、スマートフォン１は、ベゼル６２へのタッチ、スワイプおよびリリースを含む一連のタッチジェスチャが検出されると、タッチおよびリリースの検出された位置からスワイプの方向を特定する。すなわち、ベゼル６２の数字「２０」が表記された位置でタッチが検出され、ベゼル６２の数字「４０」が表記された位置でリリースが検出された場合には、スワイプの方向は時計回りとなる。
【００７９】
図６、図７及び図８では、ロック画面の一例として時計のオブジェクトが表示される場合を説明したが、あくまで一例であり、時計以外で回転移動する操作に対応したオブジェクトであっても、上述した図７及び図８の制御を同様に適用することができる。
【００８０】
図９〜図１２を参照しながら、制御プログラム９Ａが提供する機能に基づく制御の処理手順の例について説明する。図９は、ロック状態を解除して通常のホーム画面を表示するための処理手順を示している。図１０は、図９に示す処理手順において利用するロック解除条件の設定画面の一例を示している。図１１は、ロック状態を解除してシークレット用のホーム画面を表示するための処理手順を示している。図１２は、図１１に示す処理手順において利用する解除条件の設定画面の一例を示している。
【００８１】
図９または図１１に示す処理手順は、コントローラ１０が、制御プログラム９Ａを実行することによって実現される。図９または図１１に示す処理手順は、ディスプレイ２Ａにロック画面６０が表示されている場合に繰り返して実行される。コントローラ１０は、図９または図１１に示す処理手順と並行して、スマートフォン１に関する制御のための他の処理手順を実行することがある。
【００８２】
まず、図９に示す処理手順について説明する。コントローラ１０は、ステップＳ１０１として、ロック画面６０に表示されたベゼル６２へのタッチの検出判定を実行する。ベゼル６２へのタッチが検出されなかった場合には（ステップＳ１０１，Ｎｏ）、コントローラ１０は、そのまま処理を終了する。そして、コントローラ１０は、ベゼル６２へのタッチが検出された場合には（ステップＳ１０１，Ｙｅｓ）、ステップＳ１０２として、タッチスクリーン２Ｂの検出結果からタッチ位置を特定する。
【００８３】
続いて、コントローラ１０は、ステップＳ１０３として、スワイプの検出判定を実行する。スワイプが検出された場合には（ステップＳ１０３，Ｙｅｓ）、コントローラ１０は、ステップＳ１０４として、ロック画面６０におけるベゼル６２の表示位置を維持しつつ、タッチスクリーン２Ｂの検出結果に従ってベゼル６２を回転させる。
【００８４】
続いて、コントローラ１０は、ステップＳ１０５として、ベゼル６２からのリリースの検出判定を実行する。リリースが検出されなかった場合には（ステップＳ１０５，Ｎｏ）、コントローラ１０は、上述したステップＳ１０３に戻る。すなわち、コントローラ１０は、ベゼル６２からのリリースが検出されるまで、タッチスクリーン２Ｂの検出結果に従ってベゼル６２を回転させる処理を続ける。これとは反対に、リリースが検出された場合には（ステップＳ１０５，Ｙｅｓ）、コントローラ１０は、ステップＳ１０６として、タッチスクリーン２Ｂの検出結果からリリース位置を特定する。
【００８５】
続いて、コントローラ１０は、ステップＳ１０７として、ステップＳ１０２にて特定したタッチ位置と、ステップＳ１０６にて特定したリリース位置とに基づいて、ロック解除条件を満足するか否かの判定処理を実行する。例えばスマートフォン１は、ベゼル６２へのタッチおよびリリースが検出された位置を用いて、回転後のベゼル６２の向きを特定し、ベゼル６２へのタッチが検出された位置およびベゼル６２の向きがロック解除条件を満足するか否かを判定する。
【００８６】
スマートフォン１は、例えば、ロック解除条件として、ベゼル６２の数字の組合せを予め記憶してもよい。図１０に示すように、スマートフォン１は、ロック解除条件設定画面上で、タッチする位置に対応するベゼル６２の数字「２０」と、リリースする位置に対応するベゼル６２の数字「４０」を利用者に選択させ、この数字の組合せをロック解除条件としてストレージ９に記憶する。この場合、コントローラ１０は、ベゼル６２の数字「２０」が表記された位置が、初期状態のロック画面６０においてベゼル６２の数字「４０」が表記された位置まで回転したときのベゼル６２の向きをロック解除条件として用いる。
【００８７】
スマートフォン１は、判定の結果、ロック解除条件を満足した場合には（Ｓ１０７，Ｙｅｓ）、コントローラ１０は、ステップＳ１０８として、ロック状態を解除して、図４に示すホーム画面４０を表示させ、処理を終了する。一方、ロック解除条件を満足しない場合には（Ｓ１０７，Ｎｏ）、コントローラ１０は、ロック状態を解除せずに、そのまま処理を終了する。
【００８８】
ステップＳ１０３において、スワイプが検出されなかった場合には（ステップＳ１０３，Ｎｏ）、コントローラ１０は、そのまま処理を終了する。なお、ステップＳ１０３において、コントローラ１０は、スワイプが検出されるまで待機するようにしてもよいし、一定時間内だけ、スワイプが検出されるまで待機するようにしてもよい。
【００８９】
次に、図１１に示す処理手順について説明する。コントローラ１０は、ステップＳ２０１として、ロック画面６０に表示されたベゼル６２へのタッチの検出判定を実行する。ベゼル６２へのタッチが検出されなかった場合には（ステップＳ２０１，Ｎｏ）、コントローラ１０は、そのまま処理を終了する。そして、コントローラ１０は、ベゼル６２へのタッチが検出された場合には（ステップＳ２０１，Ｙｅｓ）、ステップＳ２０２として、タッチスクリーン２Ｂの検出結果からタッチ位置を特定する。
【００９０】
続いて、コントローラ１０は、ステップＳ２０３として、スワイプの検出判定を実行する。スワイプが検出された場合には（ステップＳ２０３，Ｙｅｓ）、コントローラ１０は、ステップＳ２０４として、ロック画面６０におけるベゼル６２の表示位置を維持しつつ、タッチスクリーン２Ｂの検出結果に従ってベゼル６２を回転させる。
【００９１】
続いて、コントローラ１０は、ステップＳ２０５として、ベゼル６２からのリリースの検出判定を実行する。リリースが検出されなかった場合には（ステップＳ２０５，Ｎｏ）、コントローラ１０は、上述したステップＳ２０３に戻る。すなわち、コントローラ１０は、ベゼル６２からのリリースが検出されるまで、タッチスクリーン２Ｂの検出結果に従ってベゼル６２を回転させる処理を続ける。これとは反対に、リリースが検出された場合には（ステップＳ２０５，Ｙｅｓ）、コントローラ１０は、ステップＳ２０６として、タッチスクリーン２Ｂの検出結果からリリース位置を特定する。
【００９２】
続いて、コントローラ１０は、ステップＳ２０７として、ベゼル６２の回転方向が時計回りであるか否かの判定処理を実行する。例えば、コントローラ１０は、ステップＳ２０４にてベゼル６２を回転させる際にベゼル６２の回転方向を合わせて算出しておいてもよいし、あるいは、タッチスクリーン２Ｂの検出結果からスワイプ時の軌跡を算出してベゼル６２の回転方向を判定してもよい。
【００９３】
ベゼル６２の回転方向が時計回りであった場合には（ステップＳ２０７，Ｙｅｓ）、コントローラ１０は、ステップＳ２０８として、ステップＳ２０２にて特定したタッチ位置と、ステップＳ２０６にて特定したリリース位置とに基づいて、ロック解除条件を満足するか否かの判定処理を実行する。例えば、コントローラ１０は、ベゼル６２へのタッチおよびリリースが検出された位置を用いて、回転後のベゼル６２の向きを特定し、ベゼル６２へのタッチが検出された位置およびベゼル６２の向きがロック解除条件を満足するか否かを判定する。
【００９４】
スマートフォン１は、例えば、ロック解除条件として、ベゼル６２の回転方向、およびベゼル６２の数字の組合せを予め記憶してもよい。図１２に示すように、スマートフォン１は、ロック解除条件設定画面上で、ベゼルの回転方向、タッチする位置およびリリースする位置に対応する数字を利用者にそれぞれ選択させ、回転方向および数字の組合せをロック解除条件としてストレージ９に記憶する。この場合、コントローラ１０は、ベゼル６２の数字「２０」が表記された位置が、初期状態のロック画面６０においてベゼル６２の数字「４０」が表記された位置まで、時計回りに回転したときのベゼル６２の向きをロック解除条件として用いる。
【００９５】
コントローラ１０は、判定の結果、ロック解除条件を満足した場合には（ステップＳ２０８，Ｙｅｓ）、コントローラ１０は、ステップＳ２０９として、ロック状態を解除して、例えば、図４に示すホーム画面４０を表示させ、処理を終了する。これとは反対に、ロック解除条件を満足しなかった場合には（ステップＳ２０８，Ｎｏ）、コントローラ１０は、ロック状態を解除せずに、そのまま処理を終了する。
【００９６】
一方、ベゼル６２の回転方向が反時計回りであった場合には（ステップＳ２０７，Ｎｏ）、コントローラ１０は、ステップＳ２１０として、ステップＳ２０２にて特定したタッチ位置と、ステップＳ２０６にて特定したリリース位置とに基づいて、シークレット解除条件を満足するか否かの判定処理を実行する。
【００９７】
スマートフォン１は、例えば、シークレット解除条件として、ベゼル６２の回転方向、およびベゼル６２の数字の組合せを予め記憶してもよい。図１２に示すように、スマートフォン１は、ロック解除条件設定画面上で、ベゼルの回転方向、タッチする位置およびリリースする位置に対応する数字を利用者にそれぞれ選択させ、回転方向および数字の組合せをシークレット解除条件としてストレージ９に記憶する。この場合、コントローラ１０は、ベゼル６２の数字「５５」が表記された位置が、初期状態のロック画面６０においてベゼル６２の数字「３５」が表記された位置まで、反時計回りに回転したときのベゼル６２の向きをシークレット解除条件として用いる。
【００９８】
コントローラ１０は、判定の結果、シークレット解除条件を満足した場合には（ステップＳ２１０，Ｙｅｓ）、コントローラ１０は、ステップＳ２１１として、ロック状態を解除して、図８に示すシークレット用のホーム画面を表示させ、処理を終了する。これとは反対に、シークレット解除条件を満足しなかった場合には（ステップＳ２１０，Ｎｏ）、コントローラ１０は、ロック状態を解除せずに、そのまま処理を終了する。
【００９９】
ステップＳ２０３において、スワイプが検出されなかった場合には（ステップＳ２０３，Ｎｏ）、コントローラ１０は、そのまま処理を終了する。なお、ステップＳ２０３において、コントローラ１０は、スワイプが検出されるまで待機するようにしてもよいし、一定時間内だけ、スワイプが検出されるまで待機するようにしてもよい。
【０１００】
図１０に示すロック解除条件あるいは図１２に示すシークレット解除条件は、あくまで一例であり、ベゼル６２の回転方向およびベゼル６２の数字の組合せからなる条件は適宜変更して利用できる。なお、ベゼル６２の数字の組合せを利用する場合には、１４４通りの組合せがあるので、利用者以外には簡単にロック画面を解除することができない。このように、ロック解除条件として数字の組合せを利用することで、ロック画面のセキュリティ性を向上できる。さらに、利用者は、ベゼル６２の回転方向を変えるだけで、ロック画面を解除した際に、図４に示すような通常のホーム画面４０、または図８に示すようなシークレット用のホーム画面のいずれを表示させるかを選択できるので、ユーザフレンドリーなロック画面を実現できる。
【０１０１】
図１３に、ロック解除エリアを有するロック画面の一例を示す。図１３に示すように、ロック画面６０上に、タップまたはスワイプなどタッチスクリーン２Ｂが検出可能な利用者の所定の操作を、ロック解除操作として受け付けることが可能なロック解除エリア６６をベゼル６２のオブジェクトとは別個に設けてもよい。そして、スマートフォン１は、ロック解除操作が、ベゼル６２およびロック解除エリア６６のいずれで受け付けられたかによって、ロック状態の解除後に表示させるホーム画面を変更する。例えば、スマートフォン１は、ロック解除エリア６６を介してロック解除操作を受け付けた場合に、例えば、図４に示すホーム画面４０を表示させ、ベゼル６２を介してロック解除操作を受け付けた場合には、図８に示すシークレット用のホーム画面を表示させることができる。
【０１０２】
図１４に、段階的なロック解除の操作の一例を示す。上記の実施形態では、ベゼル６２を回転操作することにより、ロック画面６０を解除する場合を説明したが、これに限定されるものではない。例えば、図１４に示すように、ベゼル６２の回転操作を行った後、続いて、ロック解除ボタンの操作を行うことにより、ロック状態を解除するようにしてもよい。
【０１０３】
図１４のステップＳ３１に示すように、ベゼル６２に対する時計回りの操作（１）が検出された場合には、スマートフォン１は、ベゼル６２が表示されている位置を維持したままで、時計回りにベゼル６２を回転させる。続いて、スマートフォン１は、図１４のステップＳ３２に示すように、時計領域６３だった箇所にロック解除ボタンの画像６７を表示させる。なお、ロック解除ボタンの画像６７を表示させるタイミングは、ベゼル６２の回転と同時、またはベゼル６２からのリリースが検出された時など、任意のタイミングを設定することができる。
【０１０４】
そして、スマートフォン１は、ロック解除操作ボタンの画像６７に対する操作（２）が検出されると、ロック画面６０を解除する。なお、ロック解除操作ボタンの画像６７に対する操作（２）には、タップ操作またはダブルタップ操作など、任意の操作を設定することができる。
【０１０５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【０１０６】
例えば、図５に示した各プログラムは、複数のモジュールに分割されていてもよい。あるいは、図５に示した各プログラムは、他のプログラムと結合されていてもよい。
【０１０７】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【０１０８】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｙ  使用状況データ
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
【図１】
0005809963.tif 000002
【図２】
0005809963.tif 000003
【図３】
0005809963.tif 000004
【図４】
0005809963.tif 000005
【図５】
0005809963.tif 000006
【図６】
0005809963.tif 000007
【図７】
0005809963.tif 000008
【図８】
0005809963.tif 000009
【図９】
0005809963.tif 000010
【図１０】
0005809963.tif 000011
【図１１】
0005809963.tif 000012
【図１２】
0005809963.tif 000013
【図１３】
0005809963.tif 000014
【図１４】
0005809963.tif 000015